【手続補正書】
【提出日】平成18年9月14日(2006.9.14)
【手続補正１】
【補正対象書類名】明細書
【補正対象項目名】特許請求の範囲
【補正方法】変更
【補正の内容】
【特許請求の範囲】
【請求項１】  記録すべきデータに従い変調された少なくとも２種類のパワー値に変調してなるレーザ光を照射することにより光ディスクにデータを記録する情報記録装置であって、
遅延手段を備え、記録すべきデータを変調してパルス信号を生成し、前記遅延手段により前記パルス信号の所定のエッジ位置を遅延させることにより補正し、該補正した記録パルスを出力する記録パルス生成手段と、
前記記録パルス信号によりパワー値を切り替えながらレーザを駆動するレーザ駆動手段と、
前記遅延手段における遅延量を測定する遅延量測定手段と、
該遅延量測定手段による遅延量測定結果に基づいて記録パルスの前記エッジ位置を補正する記録パルス位置補正手段と、
を具備したことを特徴とする情報記録装置。
【請求項２】  前記レーザ駆動手段は、複数の電流源と、各々の電流源からの出力電流のレーザへの供給を独立にオン／オフする複数のスイッチとを備えており、
前記記録パルス生成手段は、複数の記録パルスを前記レーザ駆動手段へ出力し、前記複数の記録パルスにより前記複数のスイッチのオン／オフを制御することを特徴とする請求項１に記載の情報記録装置。
【請求項３】  前記記録パルス生成手段は、記録すべきデータを変調して基準となるパルス信号を生成するパルスタイミング生成手段と、前記基準となるパルス信号を入力とし、外部から遅延量を変更できる遅延パルスを出力する遅延量可変型遅延手段とを備えたことを特徴とする請求項１に記載の情報記録装置。
【請求項４】  前記記録パルス生成手段の前記遅延手段は、各々の入出力が直列に接続された複数のインバータ素子と、前記各インバータ素子の出力を選択する選択手段とを備えており、
前記記録パルス位置補正手段により前記選択手段の選択が制御されることを特徴とする請求項１に記載の情報記録装置。
【請求項５】  前記記録パルス生成手段の遅延手段は、各々の入出力が直列に接続された複数のバッファ素子と、前記各バッファ素子の出力を選択する選択手段とを備えており、
前記記録パルス位置補正手段により前記選択手段の選択が制御されることを特徴とする請求項１に記載の情報記録装置。
【請求項６】  前記記録パルス生成手段の遅延手段は電圧制御型遅延素子からなり、前記記録パルス位置補正手段により前記電圧制御型遅延素子の制御電圧を制御することで記録パルスの所定のエッジ位置を補正することを特徴とする請求項１に記載の情報記録装置。
【請求項７】  前記遅延量測定手段は、記録パルス生成手段の遅延手段の入出力間の遅延量を、遅延測定用クロック信号を用いて測定することを特徴とする請求項１に記載の情報記録装置。
【請求項８】  前記遅延量測定手段は、記録パルス生成手段の遅延手段の遅延量の異なる２つの出力間の遅延差を、遅延測定用クロック信号を用いて測定することを特徴とする請求項１に記載の情報記録装置。
【請求項９】  記録パルス位置補正手段は、遅延量測定手段による遅延量測定結果を用いて、記録パルス生成手段の遅延手段の入出力間の遅延量がおよそ１チャネルビットの時間となる遅延設定値を求め、該遅延設定値に基づいて記録パルスの所定のエッジ位置を補正することを特徴とする請求項１に記載の情報記録装置。
【請求項１０】  前記記録パルス位置補正手段は、前記遅延量測定手段による遅延量測定結果を用いて、前記遅延手段の遅延量の異なる２つの出力間の遅延量の差が略１チャネルビット時間となるような遅延設定値を求め、該遅延設定値に基づいて記録パルスの所定のエッジ位置を補正することを特徴とする請求項１に記載の情報記録装置。
【請求項１１】  前記記録パルス位置補正手段は、前記記録パルス生成手段により生成される記録パルスのエッジ位置を、記録マークのビット長、直前のスペース長又は直後のスペース長により各々異なる位置に補正することを特徴とする請求項１に記載の情報記録装置。
【請求項１２】  記録データに従い変調された記録パルスを用いてレーザパワーを制御しながら光ディスクへデータの記録を行う情報記録方法であって、
データの記録を行っていない期間に記録パルスのエッジ位置の補正を行う補正ステップと、
該エッジ位置が補正された記録パルスを用いてデータの記録を行う記録ステップと
からなることを特徴とする情報記録方法。
【請求項１３】  記録データに従い変調された記録パルスを用いてレーザパワーを制御しながら光ディスクへデータの記録を行う情報記録方法であって、
データの記録を行う記録ステップと、
該記録されたデータのベリファイ動作を行うベリファイステップと、
該ベリファイ結果を参照し、記録されたデータのエラー状態に基づいて記録パルスのエッジ位置を補正するか否かを判断する判断ステップと、
該判断結果に基き、記録パルスのエッジ位置を補正すると判断された場合のみ記録パルスのエッジ位置の補正を行う補正ステップと
からなることを特徴とする情報記録方法。
【請求項１４】  前記判断ステップでは、過去に実行された複数のベリファイ結果における再生データのエラー状態を参照し、記録パルスのエッジ位置を補正するか否かを判断することを特徴とする請求項１２または請求項１３に記載の情報記録方法。
【請求項１５】  前記補正ステップは、記録パルス生成手段の遅延手段の遅延量を測定し、該遅延量の測定結果に基づき記録パルスの前記所定のエッジ位置を補正することを特徴とする請求項１２または１３に記載の情報記録方法。
【請求項１６】  前記補正ステップは、
記録パルス生成手段の遅延手段の遅延量を決定する選択信号値を設定するステップと、
設定された前記選択信号値に対する遅延量の測定結果を読み取るステップと、
前記遅延量の測定結果を用いて、遅延量が記録パルス生成手段で用いるクロックの一周期時間Ｔｗとなる選択信号値を求めるステップと、
求められた前記選択信号値に基づいて、予め与えられた記録パルスのエッジ位置に関する時間テーブルを選択信号値の設定値テーブルに変換するステップと
からなる請求項１２または請求項１３に記載の情報記録方法。
【請求項１７】  前記時間Ｔｗは、記録データの１チャネルビットに相当する時間であることを特徴とする請求項１６に記載の情報記録方法。
【請求項１８】  前記時間テーブルは、記録パルスの位置可変なエッジ位置に関する時間情報を含むことを特徴とする請求項１６に記載の情報記録方法。
【請求項１９】  前記時間テーブルは、記録すべきデータのマーク長さ毎に個別の時間情報を有することを特徴とする請求項１６に記載の情報記録方法。
【請求項２０】  前記時間テーブルは、記録すべきデータのマーク長さと直前のスペース長さとの組み合わせ毎に個別の時間情報を有することを特徴とする請求項１６に記載の情報記録方法。
【請求項２１】  前記時間テーブルは、記録すべきデータのマーク長さと直後のスペース長さとの組み合わせ毎に個別の時間情報を有することを特徴とする請求項１６に記載の情報記録方法。
【請求項２２】  前記パルス補正ステップは、複数段の遅延手段からなる記録パルス生成手段において、所定段数の遅延手段を含む遅延手段群毎に遅延量を測定し、その測定した各遅延手段群に対する遅延量に基いて、予め与えられた記録パルスのエッジ位置を決定するための前記遅延手段の出力を制御することを特徴とする請求項１２または請求項１３記載の情報記録方法。
【請求項２３】  前記パルス補正ステップは、複数段の遅延手段からなる記録パルス生成手段において、所定段数の遅延手段を含む遅延手段群毎に遅延量を測定し、その測定した各遅延手段群に対する遅延量に基いて前記遅延手段全体の遅延プロファイルを算出し、算出した前記遅延プロファイルに基いて、予め与えられた記録パルスのエッジ位置を決定するための前記遅延手段の出力を制御することを特徴とする請求項２２記載の情報記録方法。
【請求項２４】  算出する遅延プロファイルは、前記遅延手段群の数と同数の折れ線により表される関数であることを特徴とする請求項２３記載の情報記録方法。
【請求項２５】  前記パルス補正ステップは、記録パルス生成手段内の遅延手段の総遅延時間の半分以下の周期のクロック信号を用いて前記遅延手段の遅延時間が前記クロック信号の一周期と略一致する領域を検出し、該検出結果に基いて前記遅延手段の出力を制御し、予め与えられた記録パルスのエッジ位置を決定することを特徴とする請求項１２または請求項１３記載の情報記録方法。
【請求項２６】  記録データに従い変調された記録パルスを用いてレーザパワーを制御しながら光ディスクへデータの記録を行う情報記録方法であって、
光ディスクへデータを記録する装置の温度を検出するステップと、
検出した温度変化を判断するステップと、
温度変化の判断に基き、温度変化が所定以上であると判断された場合のみ記録パルスのエッジ位置の補正を行うステップと、
エッジ位置を補正した記録パルスを用いてデータの記録を行うステップと
からなることを特徴とする情報記録方法。
【請求項２７】  前記時間テーブルは、記録すべきデータのマーク長に応じた時間情報を有することを特徴とする請求項１６に記載の情報記録方法。
【請求項２８】  前記時間テーブルは、記録すべきデータのマーク長と、該記録すべきデータの直前のスペース長との組み合わせに応じた時間情報を有することを特徴とする請求項１６に記載の情報記録方法。
【請求項２９】  前記時間テーブルは、記録すべきデータのマーク長と、該記録すべきデータの直後のスペース長との組み合わせに応じた時間情報を有することを特徴とする請求項１６に記載の情報記録方法。